(57)【要約】【課題】カビ臭を効果的に抑制し、カビ臭の不愉快さを解消し得るカビ臭抑制組成物を提供する。【解決手段】α位及び／又はβ位に不飽和結合を有する化合物として、Ａ群より選択された１種又は２種以上の化合物を配合してなるカビ臭抑制組成物。【選択図】    なし【特許請求の範囲】
【請求項１】
α位及び／又はβ位に不飽和結合を有する化合物として、以下のＡ群より選択された１種又は２種以上の化合物を配合してなることを特徴とするカビ臭抑制組成物。
（Ａ群）
バイシクロベチベロール、ゲラニルリナロール、５，９−ジメチル−４，８−デカジエン−１−アール、２，６，１０−トリメチル−５，９−ウンデカジエナール、ゲラニルトランスシトラール、ゲラニルオキシアセトアルデヒド、１−メチル−４−（４−メチル−３−ペンチル）−３−シクロヘキセン−１−カルボキシアルデヒド、シトラールジエチルアセタール、ゲラニルアセトン、ファルネシルアセトン、ゲラニルエチルエーテル、ゲラニルチグレート、メチルゲラネート、エチルゲラネート、ゲラニルニトリル、３，７−ジメチル−２，６−ノナジエンニトリル、４−（１，４，８−トリメチル−３，７−ノナジエニル）ピリジン、２−（１，４，８−トリメチル−３，７−ノナジエニル）ピリジン、チオゲラニオール、γ−ビサボレン、ネロリドール、ミルセニルアセテート、ゲラニルヘキサノエート、ゲラニルフェニルアセテート、β−ファルネッセン、α−ファルネッセン、プソイドイオノン、ゲラニルフォーメート、ネリルアセテート、ゲラニルプロピオネート
【請求項２】
α位及び／又はβ位に不飽和結合を有する化合物として、以下のＢ群より選択された１種又は２種以上の化合物も配合してなることを特徴とする請求項１記載のカビ臭抑制組成物。
（Ｂ群）
ゲラニオール、ネロール、ファルネソール、シトラール、ミラックアルデヒド、ゲラニックアシッド、６，１０−ジメチル５，９ウンデカジエン−２−イルアセテート、ゲラニルブチレート、ゲラニルイソブチレート、ゲラニルベンゾエート、３−シクロヘキセン−１―カルボキシアルデヒド
【請求項３】
生活環境用である請求項１又は２記載のカビ臭抑制組成物。
【発明の詳細な説明】
【０００１】
【発明の属する技術分野】
本発明は、芳香・消臭組成物に係わり、詳しくは住居内における生活臭のうちの、カビ臭を抑制するためのカビ臭抑制組成物に関する。
【０００２】
【従来の技術】
一般に生活臭としては、トイレの悪臭、調理の臭い、生ゴミ臭、玄関の臭い、人の体臭、家庭内でのカビの臭い、ペットの臭い、タバコの臭いなどがある。このような生活臭をマスキング又は抑制する技術としては、例えば香料によるマスキング、植物エキスによる感覚的中和又はマスキング、酸化還元等の化学反応によるもの等多くの方法が知られている。
【０００３】
ところが、生活臭の中でも特にカビ臭に対しては、従来、必ずしも生活者の満足が得られていないのが実状である。すなわち、空気調和装置（エアコン）、浴室、洗面所、押入、布団、キッチンシンク、排水口、玄関、居間、洗濯機、掃除機、アルミサッシ、家具の裏等の生活環境において発生するカビ臭は、カビの生息する場所から発生し、微弱な臭いであっても生活者に対して不快感を与える臭いであるからである。このようなカビ臭を抑制すべく、カビ臭の原因物質の特定を試みている例もあるが、カビ臭の原因物質の閾値が非常に低いため、特定されていないのが現状である。
【０００４】
例えば、カビ臭の研究例として、山本らは水道水のカビ臭の原因究明のために、河川より分離した放線菌や藍藻類由来のカビ臭の分析を行い、原因物質として２−メチルイソボルネオール、ジオスミンを特定している（非特許文献１参照）。しかし、このようにして特定された原因物質の臭いは、一般住居空間のカビ臭とは異なるものである。
また、Ａｎｎａ−ｌｅｎａ  Ｓｕｍｅｓｓｏｎらはカビの培養物からの臭気を分析している（非特許文献２参照）。しかし、このように培地で培養したカビの臭気の分析も、一般の住環境とは異なる特殊な環境から採取したものであり、やはり住環境のカビ臭の分析とは異なるものである。
【０００５】
一方、発生するカビ臭に対する対策として、カビ臭の原因となるカビに対し、抗菌成分を用いて静菌を行う技術が提案されている（例えば、特許文献１，特許文献２参照）。しかし、このような技術は、発生したカビ臭成分を消臭するものではない。
なお、カビ臭よりも強い匂いの香料によりマスキングする技術として、芳香消臭剤やエアコン用のスプレーなどの製品が知られているが、これらはカビ臭成分を消臭するものではなく、カビ臭を根本的になくすことはできない。
【０００６】
【特許文献１】
特開２００２−１８７８０３号公報（第２頁）
【特許文献２】
特開２００１−２２０３０４号公報（第２頁）
【非特許文献１】
日本土壌肥料学雑誌７２，Ｎｏ．１，９−１７（２００１）
【非特許文献２】
Ａｐｐｌｉｅｄ  ａｎｄ  Ｅｎｖｉｒｏｎｍｅｎｔａｌ  Ｍｉｃｒｏｂｉｏｌｏｇｙ  ６１，Ｎｏ．８，２９１１−２９１８（１９９５）
【０００７】
【発明が解決しようとする課題】
本発明は前記事情に鑑みてなされたもので、カビ臭を効果的に抑制し、カビ臭の不愉快さを解消し得るカビ臭抑制組成物を提供することを、課題としている。
【０００８】
【課題を解決するための手段】
本発明者らは、カビ臭を根本的になくして前記課題を解決すべく、抑制する対象を明確化するため、従来はその実体が明らかではなかったカビ臭の臭い物質を特定する試みを行った。
まず、一般の家庭で使用されカビ臭の発生が確認されたエアコン（空気調和装置）を家庭より回収し、そこから発生する臭気成分を分析した。その結果、カビ臭の原因となる成分として、１−オクテン−３−オン、１−オクテン−３−オール、イソボルニルアセテート、２−メチルイソボルネオール、２，４，６−トリクロロアニソールを同定し、特にこれらの物質中で、１−オクテン−３−オンがカビ臭の核となる成分であることを突き止めた。ここで、核となる成分とは、成分量を示すものではなく、人がカビ臭として強く感じる成分であり、カビ臭の骨格となる成分である。
【０００９】
そして、このようにして得られたカビ臭の核となる成分である、１−オクテン−３−オンに対しての消臭効果を評価することにより、カビ臭を抑制する成分を見出すべく鋭意検討した。その結果、α位やβ位の炭素が不飽和結合をもつ化合物のなかに、カビ臭抑制効果をもつ化合物群（Ａ群）が存在することを見出し、本発明を完成した。
【００１０】
すなわち、本発明のカビ臭抑制組成物は、α位及び／又はβ位に不飽和結合を有する化合物として、以下のＡ群より選択された１種又は２種以上の化合物を配合してなることを特徴としている。
（Ａ群）
バイシクロベチベロール、ゲラニルリナロール、５，９−ジメチル−４，８−デカジエン−１−アール、２，６，１０−トリメチル−５，９−ウンデカジエナール、ゲラニルトランスシトラール、ゲラニルオキシアセトアルデヒド、１−メチル−４−（４−メチル−３−ペンチル）−３−シクロヘキセン−１−カルボキシアルデヒド、シトラールジエチルアセタール、ゲラニルアセトン、ファルネシルアセトン、ゲラニルエチルエーテル、ゲラニルチグレート、メチルゲラネート、エチルゲラネート、ゲラニルニトリル、３，７−ジメチル−２，６−ノナジエンニトリル、４−（１，４，８−トリメチル−３，７−ノナジエニル）ピリジン、２−（１，４，８−トリメチル−３，７−ノナジエニル）ピリジン、チオゲラニオール、γ−ビサボレン、ネロリドール、ミルセニルアセテート、ゲラニルヘキサノエート、ゲラニルフェニルアセテート、β−ファルネッセン、α−ファルネッセン、プソイドイオノン、ゲラニルフォーメート、ネリルアセテート、ゲラニルプロピオネート
【００１１】
さらに、α位やβ位に不飽和結合をもつ化合物の中に、単独ではカビ臭抑制効果がそれ程ではないものの、前記の化合物群（Ａ群）と併用することにより、カビ臭制効果が増強される化合物群（Ｂ群）を見出した。
すなわち、本発明のカビ臭抑制組成物においては、α位及び／又はβ位に不飽和結合を有する化合物として、前記のＡ群の化合物に加え、以下のＢ群より選択された１種又は２種以上の化合物も配合してなるのが好ましい。
（Ｂ群）
ゲラニオール、ネロール、ファルネソール、シトラール、ミラックアルデヒド、ゲラニックアシッド、６，１０−ジメチル−５，９−ウンデカジエン−２−イルアセテート、ゲラニルブチレート、ゲラニルイソブチレート、ゲラニルベンゾエート、３−シクロヘキセン−１−カルボキシアルデヒド
【００１２】
前記のカビ臭を抑制するＡ群の化合物は、カビ臭の核となる１−オクテン−３−オンと重合等の化学反応を起こすことにより分子量を増大し、１−オクテン−３−オンの臭気を弱めるか、あるいは無臭にすると考えられる。
また、Ａ群のカビ臭抑制効果を増強するＢ群の化合物は、それ自体では重合等の化学反応を起こす作用が少ないものの、Ａ群と共存することでＡ群と同様にカビ臭の核物質と反応を起こし、カビ臭を抑制すると考えられる。
【００１３】
【発明の実施の形態】
以下、本発明の実施の形態を説明する。
本発明のカビ臭抑制組成物は、カビ臭の核となる成分である１−オクテン−３−オンに対する抑制効果に優れた成分が、配合されたものである。かかる１−オクテン−３−オンに対する抑制効果に優れた成分としては、α位及び／又はβ位の炭素が不飽和結合を持つ化合物が挙げられが、本発明では特にカビ臭抑制効果の高い化合物群として、前記Ａ群として示した化合物が挙げられる。すなわち、本発明のカビ臭抑制組成物は、前記Ａ群より選択された１種又は２種以上の化合物を配合してなるものである。
【００１４】
このカビ臭抑制組成物において、カビ臭の抑制成分としてのＡ群の化合物の配合量については、選択した化合物の種類や製品としての組成物に要求される効果、さらには他の配合成分等に応じて適宜選択される。したがって、特に限定されることなく条件に応じ任意に設定されるものとする。
【００１５】
また、本発明のカビ臭抑制組成物においては、単独ではカビ臭抑制効果がそれ程ではないものの、前記のＡ群の化合物と併用することにより、カビ臭制効果を増強することのできる化合物群として、前記Ｂ群として示した化合物を併用するのが好ましい。すなわち、本発明のカビ臭抑制組成物は、前記Ａ群の化合物に加え、前記Ｂ群より選択された１種又は２種以上の化合物も配合してなるのが好ましい。
このＢ群の化合物の配合量についても、選択した化合物の種類やＡ群の化合物の種類、製品としての組成物に要求される効果、さらには他の配合成分等に応じて適宜選択される。したがって、この化合物の配合量についても、特に限定されることなく条件に応じ任意に設定されるものとする。
【００１６】
さらに、本発明のカビ臭抑制組成物においては、前記Ａ群、Ｂ群から選択された化合物の他に、以下に例示する防カビ・抗菌・殺菌剤、界面活性剤、消臭剤、植物抽出物、溶剤等の成分を任意に配合することができる。
【００１７】
防カビ・抗菌・殺菌剤としては、トリアルキルトリアミンなどのアミン類；エタノールなどのアルコール類；グルタルアルデヒドなどのアルデヒド類；１，２−ベンズイソチアゾリン−３−オンなどのイソチアゾリン類；アリルイソチオシアネートなどのイソチオシアネート類；ピロール系、ピリジン系、ピリミジン系、ピラゾール系、イミダゾール系（２−（４−チアゾリル）−ベンズイミダゾールなど）、ベンズイミダゾール系、１，３，５−トリアジン系、ヘキサヒドロ−１，３，５−トリアジン系、トリアゾール系、イソオキサゾール系、チアゾール系、ベンゾチアゾール系、チアゾリン−２−オン系、イソチアゾリン−３−オン系、ベンゾイソチアゾリン−３−オン系、ベンゾチアゾリン−２−オン系、テトラヒドロチアジン−２−チオン系などより選ばれる窒素含有ヘテロ環式抗菌剤類；グリセルモノラウレートなどのエステル類；バイオバンなどのオキサゾリジン類；トリクロロカルバニリドなどのカーバニリド類；グライシカルなどのカーバメート類；安息香酸などのカルボン酸類；８−ヒドロキシキノリンなどのキノリン類；チウラムなどのサルファイド類；トリクロサンなどのジフェニルエーテル類；ジクロフルアニドなどのスルファミド類；リゾチームなどの蛋白質類；トリアジンなどのトリアジン類；ヒノキチオールなどのトロポロン類；テトラクロロイソフタロニトリルなどのニトリル類；グルコンサンクロルヘキシジンなどのビグアナイド類；ダントブロムなどのヒダントイン類；ジンクピリチオンなどのピリジン類；オルトフェニルフェノールなどのフェノール類；プリベントールＡ３などのフタルイミド類；ポリリジンなどのペプチド類；ポピドンヨードなどのヨウ素類；次亜塩素酸ナトリウムなどの塩素類；過酸化水素などの過酸化物類；塩化銀などの金属塩；抗生物質類；エチレンオキサイドなどの酸化物類；塩化ベンザルコニウム；ジデシルエチルメチルアンモニウムエトサルフェートなどの第４級アンモニウム塩；キトサンなどの糖類；プリベントールＡ６などの尿素類；などが挙げられ、あらゆる防カビ・抗菌・殺菌剤の中から選択された一種あるいは複数種を使用することができる。
【００１８】
界面活性剤としては、通常用いられる陰イオン界面活性剤、陽イオン界面活性剤、非イオン界面活性剤、両性界面活性剤等の界面活性剤の中から選択される、一種あるいは複数種を使用することができる。
また、本発明においては、殺菌、防カビや消臭等を目的として、シソエキス、バジルエキス、ローズマリーエキス等の植物抽出物のうちの、一種あるいは複数種が使用可能である。
また、本発明に使用され得る溶媒としては、水などの極性溶媒から、エタノール、メタノール等のアルコール系溶媒、炭化水素などの非極性溶媒等の溶媒を、得られる製品の用途
（目的）や使用する成分等に応じて適宜に組み合わせ、使用することができる。
【００１９】
このような本発明のカビ臭抑制組成物は、特に空気調和装置（エアコン）のカビ臭に対して優れた抑制効果を発揮するものの、もちろんこれに限定されることなく、生活環境全般において発生するカビ臭、すなわち、浴室、洗面所、押入、布団、キッチンシンク、排水口、玄関、居間、洗濯機、掃除機、アルミサッシ、家具の裏等で発生するカビ臭に対しても、十分に優れた抑制効果を発揮するものとなる。
【００２０】
なお、本発明者は、前述したようにカビ臭の臭い物質を特定する試みを行ったが、その試験方法を以下に示す。
（カビ臭の特定試験）
家庭より回収した６台のエアコンについて臭気を捕集し、得られたカビ臭をＧＣ／ＭＳ分析により成分を確認し、更に官能ＧＣ及び標品との一致性を見て同定した。
得られた結果より、カビ臭は前述したように１−オクテン−３−オンを含むことが明らかになった。
【００２１】
【実施例】
以下、本発明を実施例により更に具体的に説明する。
（実施例１）
本発明のカビ臭抑制組成物を、エアコン用消臭スプレーに適用して試作した。
「配合組成」
・２−（４−チアゾリル）−ベンズイミダゾール            ０．１５％
・ジデシルエチルメチルアンモニウムエトサルフェート      ０．０６％
・消臭剤（サトウキビ抽出物）                            ０．０３％
・香料（＊１）                                          ０．０１５％
・エタノール                                          ２９．７４５％
・噴射剤（液化石油ガス（０．２５ＭＰａ））            ７０％
ここで、前記の実施例１に用いた香料（＊１）としては、表１の香料処方（グリーンシトラスタイプ）を用いた。なお、表１中、さらには後述する表２中において、「群」として示しているＡあるいはＢは、前記した本発明におけるＡ群の化合物、あるいはＢ群の化合物であることを示している。
このような配合の組成物を、先端で霧状に噴霧する構造物を設けたロングノズル付きエアゾール缶（ダイゾー社製）に充填し、エアコン用消臭スプレーを作製した。
そして、このスプレーより、本実施例１の組成物を一般家庭で３年間使用したカビ臭の発生する壁面設置タイプのエアコン（東芝社製）に噴霧した。なお、噴霧箇所については、エアコンのクロスフローファンとした。
【００２２】
【表１】
2004181064.tif 000002
【００２３】
（比較例１）
実施例１に対する比較として、前記の香料（＊１）を表２の組成（グリーンシトラスタイプ）に替え、他は全て実施例１と同じにしてエアコン用消臭スプレーを作製した。
そして、このスプレーより、本比較例の組成物を一般家庭で３年使用したカビ臭の発生する壁面設置タイプのエアコン（日立社製）に噴霧した。なお、噴霧箇所は実施例１と同じ箇所とした。
【００２４】
【表２】
2004181064.tif 000003
【００２５】
作製したスプレーから噴霧した組成物のカビ臭抑制効果を、専門パネル５名による官能評価を実施することで調べた。官能評価は、以下に示す６段階臭気強度表示法を用いて行った。
（６段階臭気強度表示）
０：無臭
１：やっと感知できる臭い（検知閾値濃度）
２：何のにおいであるかわかる弱いにおい
３：楽に感知できるにおい
４：強いにおい
５：強烈なにおい
（出典：臭気の嗅覚測定法、岩崎好陽著、（社）臭気対策研究協会（１９９７））
専門パネル５名によってそれぞれに得られた６段階臭気強度の結果を、平均値にして表３に示す。
【００２６】
【表３】
2004181064.tif 000004
【００２７】
表３に示した結果より、本実施例１の組成物では、その噴霧前後での臭気強度の差（低下）が比較例１の組成物に比べ大きく、したがって、Ｂ群の化合物を配合した比較例１に比べ、Ａ群の化合物を配合した実施例１はカビ臭抑制効果が十分大きいことが確認された。
【００２８】
（実施例２）
本発明のカビ臭抑制組成物を、室内用消臭スプレーに適用して試作した。
「配合組成」
・消臭剤（針葉樹抽出物                            ０．０２％
・香料（＊２）                                    ０．０１％
・エタノール                                    １９．９７％
・噴射剤（液化石油ガス（０．２５ＭＰａ）        ８０％
ここで、前記の実施例２に用いた香料（＊２）としては、表４の香料処方（グリーンオレンジタイプ）を用いた。なお、表４中、さらには後述する表５中において、「群」として示しているＡあるいはＢは、前記した本発明におけるＡ群の化合物、あるいはＢ群の化合物であることを示している。
このような配合の組成物を、上方にスプレーする構造を有するエアゾール缶（ダイゾー社製）に充填し、室内用消臭スプレーを作製した。
そして、このスプレーより、本実施例２の組成物をカビ臭のする室内（８畳）に５秒間噴霧した。
【００２９】
【表４】
2004181064.tif 000005
【００３０】
（比較例２）
実施例２に対する比較として、前記の香料（＊２）を表５の組成（グリーンオレンジタイプ）に替え、他は全て実施例２と同じにして室内用消臭スプレーを作製した。なお、この比較例２はＡ群の化合物を有していることから本発明の実施例品となるが、Ａ群の化合物とＢ群の化合物とを併用した実施例２の効果を確認するため、ここではあえて比較例２としている。
そして、このスプレーより、本比較例の組成物をカビ臭のする室内（８畳）に５秒間噴霧した。
【００３１】
【表５】
2004181064.tif 000006
【００３２】
作製したスプレーから噴霧した組成物のカビ臭抑制効果を、前述した専門パネル５名による官能評価を実施することで調べた。
専門パネル５名によってそれぞれに得られた６段階臭気強度の結果を、平均値にして表６に示す。
【００３３】
【表６】
2004181064.tif 000007
【００３４】
表６に示した結果より、本実施例２の組成物では、その噴霧前後での臭気強度の差（低下）が比較例２の組成物に比べ大きく、したがって、Ａ群の化合物のみを配合した比較例２に比べ、Ａ群の化合物とＢ群の化合物と併用した実施例２はカビ臭抑制効果が十分大きいことが確認された。
【００３５】
（実施例３）
本発明のカビ臭抑制組成物を、家具用防カビ消臭スプレーに適用して試作した。
「配合組成」
・ジデシルエチルメチルアンモニウムエトサルフェート        ０．３５％
・消臭剤（針葉樹抽出物）                                  ０．０７％
・香料（＊３）                                            ０．０３５％
・エタノール                                            ６９．５４５％
・噴射剤（液化石油ガス（０．２５ＭＰａ）                ３０％
ここで、前記の実施例３に用いた香料（＊３）としては、表７の香料処方（ラベンダータイプ）を用いた。なお、表７中において、「群」として示しているＡあるいはＢは、前記した本発明におけるＡ群の化合物、あるいはＢ群の化合物であることを示している。
このような配合の組成物を、ロングノズル構造を有するエアゾール缶（ダイゾー社製）に充填し、家具用防カビ消臭スプレーを作製した。
そして、このスプレーより、本実施例２の組成物をカビ臭の発生する家具の裏に噴霧した。
【００３６】
【表７】
2004181064.tif 000008
【００３７】
（比較例３）
実施例３に対する比較として、前記の香料（＊３）を表８の組成（ラベンダータイプ）に替え、他は全て実施例３と同じにして家具用防カビ消臭スプレーを作製した。
そして、このスプレーより、本比較例の組成物をカビ臭の発生する家具の裏に噴霧した。
【００３８】
【表８】
2004181064.tif 000009
【００３９】
作製したスプレーから噴霧した組成物のカビ臭抑制効果を、前述した専門パネル５名による官能評価を実施することで調べた。
専門パネル５名によってそれぞれに得られた６段階臭気強度の結果を、平均値にして表９に示す。
【００４０】
【表９】
2004181064.tif 000010
【００４１】
表９に示した結果より、本実施例３の組成物では、その噴霧前後での臭気強度の差（低下）が比較例３の組成物に比べ大きく、したがって、Ａ群やＢ群の化合物を配合しない比較例３に比べ、Ａ群の化合物とＢ群の化合物と併用した実施例３はカビ臭抑制効果が十分大きいことが確認された。また、先の実施例１や実施例２に比べて、本実施例３では特に噴霧前の臭気強度が弱い（約２．０）場合について調べたが、噴霧後において臭気濃度が十分に低下し、したがって低い（弱い）カビ臭に対しても本実施例品は十分に抑制効果があることが確認された。
【００４２】
（実施例４）
本発明のカビ臭抑制組成物を、揮散型のカビ臭消臭剤に適用して試作した。
「配合組成」
・カラギーナン                                            ２．０％
・ポリオキシエチレンノニルフェニルエーテル                ８．０％
・香料（＊３）                                            ５．０％
・プロピレングリコール                                    ２．０％
・精製水                                                  バランス
前記組成物を揮散機構を有するプラスチック容器に充填し、カビ臭の発生する押入の中に設置した。なお、上記実施形態に用いた香料（＊３）は前記表７の香料処方（ラベンダータイプ）を用いた。
【００４３】
（比較例４）
実施例４に対する比較として、前記の香料（＊３）を表８の組成（ラベンダータイプ）に替え、他は全て実施例４と同じにして揮散型カビ臭消臭剤を作製し、カビ臭の発生する押入の中に設置した。
作製した揮散型カビ臭消臭剤のカビ臭抑制効果を、揮散型カビ臭消臭剤の設置前後の臭気について前述した専門パネル５名による官能評価を実施することで調べた。
専門パネル５名によってそれぞれに得られた６段階臭気強度の結果を、平均値にして表１０に示す。
【００４４】
【表１０】
2004181064.tif 000011
【００４５】
表１０に示した結果より、本実施例４の組成物では、その設置前後での臭気強度の差（低下）が比較例４の組成物に比べ大きく、したがって、Ａ群やＢ群の化合物を配合しない比較例３に比べ、Ａ群の化合物とＢ群の化合物と併用した実施例４はカビ臭抑制効果が十分大きいことが確認された。また、先の実施例３に比べて、本実施例４では特に設置前の臭気強度が強い（２．６）場合について調べたが、設置後において臭気濃度が十分に低下し、したがって強いカビ臭に対しても本実施例品は十分に抑制効果があることが確認された。
【００４６】
【発明の効果】
以上説明したように本発明のカビ臭抑制組成物は、特にカビ臭の核となる成分である１−オクテン−３−オンに対し、抑制効果に優れた成分である前記Ａ群より選択された１種又は２種以上の化合物を配合してなるものであるから、空気調和装置（エアコン）のカビ臭をはじめとして生活環境全般において発生するカビ臭を効果的に抑制し、カビ臭の不愉快さを根本的に解消することができる。